(57)【要約】【課題】救援物資を長期保存できるとともに、設置場所における気象データや周辺の映像を簡便に把握できるようにした防災用品保管庫と、防災システムを提供する。【解決手段】この防災用品保管庫１０は、建築パネルで直方体状の箱体を形成して断熱材を内装し、屋根上に、パネル状の太陽電池１１を複数配置し、室内に、該太陽電池１１からの電力を受け入れ蓄積する複数のバッテリ１５と、該バッテリ１５にインバータ１４を接続して交流用のエアコンディショナ５を設け、水や非常食などの救援物資を室温２０〜２５度で保存するとともに、気温、湿度、風向風速、気圧などを計測する気象観測装置２０と、計測した気象データを保存するデータロガー２４と、周辺を撮影するネットワークカメラ２３を外壁に設置し、計測した気象状況と周辺の映像をホームページへアップロードするモバイルルーター２５を備えている。【選択図】図１
2016035724.tif 000002
【特許請求の範囲】
【請求項１】
建築パネルで直方体状の箱体を形成して断熱材を内装し、屋根上に、パネル状の太陽電池を複数配置し、室内に、該太陽電池からの電力を受け入れ蓄積する複数のバッテリと、該バッテリにインバータを接続して交流用のエアコンディショナを設け、水や非常食などの防災用品を室温２０〜２５度で保存するとともに、気温、湿度、風向風速、気圧などを計測する気象観測装置と、計測した気象データを保存するデータロガーと、周辺を撮影するネットワークカメラを外壁に設置し、該計測した気象状況と周辺の映像をホームページへアップロードするモバイルルーターを備え、外部からインターネットを介して気象状況と周辺の映像をリアルタイムで入手できるようにしたことを特徴とする防災用品保管庫。
【請求項２】
各地に設置した前記防災用品保管庫の送信ユニットから高速無線インターネットを介してその場所の気象データと、ネットワークカメラによる周辺の画像を受信する管理ハウスを設け、該管理ハウスには、統合的に気象データを管理するデータ集約サーバーと、該ネットワークカメラのデータを集約保存するカメラレコーダと、これらデータを加工するソフトを有するパーソナルコンピュータとを備え、各防災用品保管庫の周辺の気象データと映像データを自動的に収集加工するようにしたことを特徴とする請求項１記載の防災用品保管庫を使用した防災システム。
【請求項３】
前記管理ハウスは、前記防災用品保管庫の一つに前記データ集約サーバーと前記カメラレコーダと前記パーソナルコンピュータを設置して構成したことを特徴とする請求項２記載の防災システム。
【発明の詳細な説明】
【技術分野】
【０００１】
本発明は、救援物資を備蓄する防災用品保管庫と、この保管庫を用いた防災システムに関する。
【背景技術】
【０００２】
各自治体や町内会では地震や台風などの災害時に必要とされる水や食料などの救援物資を貯蔵しておくための倉庫を設置しているところが多いが、ほとんどはプレハブ工法で作られたもので、エアコンディショナを備えておらず、救援物資を長期保存することができないという問題がある。
そこで、電力を備えて救援物資を低温で保存できるようにした防災倉庫が提案されている（例えば、特許文献１）。
【０００３】
特許文献１の防災倉庫は、保冷庫を備え、この電力源として商用電源の他に非常用電源を備え、常時は商用電源を用い、災害時のような停電時には自動的に非常用電源に切り替わるようにしている。
【先行技術文献】
【特許文献】
【０００４】
【特許文献１】特開２００４−３５２４７７号公報
【発明の概要】
【発明が解決しようとする課題】
【０００５】
特許文献１の防災倉庫は、停電時においても救援物資を低温に保存できるので、長期保存が可能である。
しかし、この防災倉庫は、非常用電源として太陽電池と風力発電機の２つを備え、常時は商用電源を使用するようにしているので、設備費用が高価で、設置時間もかかり、また、簡単には設置場所を変えることができないという難点がある。
一方、災害時においては、局地的な気象情報や災害状況をできるだけ速く正確に把握する必要があるが、このための装備はあまりなされておらず、人的な連絡網に頼っているのが現実である。
【０００６】
本発明は、上記の点に鑑み、開発したもので、商用電源を使用せずに救援物資を長期保存できるとともに、設置場所における気象情報や周辺状況を離れたところから簡便に把握できるようにした防災用品保管庫およびこれを使用した防災システムを提供するものである。
【課題を解決するための手段】
【０００７】
本発明の防災用品保管庫は、上記の目的を達成するため、次の手段を採った。すなわち、建築パネルで直方体状の箱体を形成して断熱材を内装し、屋根上に、パネル状の太陽電池を複数配置し、室内に、該太陽電池からの電力を受け入れ蓄積する複数のバッテリと、該バッテリにインバータを接続して交流用のエアコンディショナを設け、水や非常食などの防災用品を室温２０〜２５度で保存するとともに、気温、湿度、風向風速、気圧などを計測する気象観測装置と、計測した気象データを保存するデータロガーと、周辺を撮影するネットワークカメラを外壁に設置し、該計測した気象状況と周辺の映像をホームページへアップロードするモバイルルーターを備え、外部からインターネットを介して気象状況と周辺の映像をリアルタイムで入手できるようにしたことを特徴としている。
【０００８】
本発明の防災用品保管庫は、屋根に敷設した太陽電池による電力でエアコンディショナを作動させて室内を摂氏２０〜２５度に保持して救援物資を長期保存するとともに、設置した周辺の気象状況および周辺の映像を遠隔地からリアルタイムで入手できるようにしたものである。
エアコンディショナなど必要とする電力は、屋根上に設置したパネル状の太陽電池から得ており、商用電源は使用しない。
バッテリは、液の補充などメンテナンスの必要のない密閉型のものを使用し、個数はその場所での晴天が連続して失われる最大日数を勘案して最大必要量を算出して決めればよい。なお、それでも電力が不足する事態がないとは限らないので、何個かのバッテリは充電のために持ち出せるように設置するとよい。
【０００９】
室内の内壁には断熱材を貼設し、エアコンディショナを付設して、室内を摂氏２０〜２５度（望ましくは２３度付近）にする。そして、水や食料、医薬品などの救援物資を段ボールに収納して段積み保存する。
一方、設置場所における気象観測は、温度、湿度、風向風速、雨量、気圧などの一般的なもののほか、その設置場所における予想される災害（地震、台風、水害、放射能など）を考慮して選定するとよい。なお、種々の気象観測機器をユニットにまとめたものが市販されているので、これを使用してもよい。
【００１０】
気象観測装置で得られる気象データはデータロガーに保存する。また、ネットワークカメラの映像は、リアルタイムで高速無線インターネット（ＬＴＥ）を介して管理ハウスのカメラレコーダへ送信される。
なお、これらの気象データや映像データは、インターネット上に開設したホームページに情報を高速無線インターネットを介してパーソナルコンピュータやモバイル端末に表示できるようにする。なお、この場合パスワードで情報にアクセスできる人を制限するとよい。
【００１１】
この防災用品保管庫は、気象観測装置と周辺を撮影するネットワークカメラを備えているので、災害時には単に救援物資の備蓄庫としてのみならず、その場所の気象状況や周辺の映像をリアルタイムに得ることができる。
なお、防災システムをどのように構築するかは、防災本部および避難所との関係で、適宜決めれば良いが、請求項２に記載のように、各地に設置した防災用品保管庫で収集した気象データおよび設置場所周辺の映像それぞれを統合的に管理するデータ集約サーバおよびカメラレコーダを備えた管理ハウスを設け、気象データと各防災用品保管庫の周辺の映像を自動的に収集加工するとよい。
【００１２】
この管理ハウスは、役場や避難所に設置するのが一般的であるが、災害時は、災害対策本部として機能させることができるように非常用電源（例えばエンジン発電機）を備える必要がある。
したがって、新たに管理ハウスを構築する場合は、該防災用品保管庫と同様に屋根に太陽電池を敷設し、バッテリおよびインバータを備えて、エアコンディショナを設置し、データ集約サーバおよびカメラレコーダと、パーソナルコンピュータを設置するとよい。
なお、この管理ハウスは、断熱材を内装し、常時はエアコンディショナを作動させて防災用救援物資を保管し、災害時は救援物資をいち早く被災者へ配布して、スペースを確保して対策本部へ組み替えるようにしてもよい。この場合は、管理ハウスは防災用品保管庫より大きなものとするのが一般的（災害対策本部としてある程度の人数が入所する）であるが、搬送手段などの点で難しい場合は、防災用品保管庫の一つを管理ハウスとして使用する（請求項３）とよい。
【発明の効果】
【００１３】
本発明の防災用品保管庫は、断熱材を内装し、屋根上に、太陽電池を複数個配置し、室内に、エアコンディショナを備えたので、停電などに関係なく、水や非常食などの防災用品を長期保存できる。しかも、気象観測装置と周辺を撮影するネットワークカメラを備え、設置場所へ行かなくても気象データおよび周辺の映像が即座に入手できるので、災害に対して迅速的確に対応することができる。また、設置場所も海、山、広場、学校、離島、屋上などあらゆる場所に設置できるので、設置場所に苦慮することはない。
【００１４】
また、各地に設置した防災用品保管庫の収集したデータそれぞれを統合的に管理するデータ集約サーバおよびカメラレコーダを備えた管理ハウス（請求項２）を設ければ、安価に簡便に防災システムを構築できる。そして、この管理ハウスを、前記防災用防災用品保管庫の一つを用いて構成することもでき（請求項３）、この場合は、防災システムがより経済的に簡便に構築できる。
【図面の簡単な説明】
【００１５】
【図１】本発明の防災用品保管庫の実施の形態を示す外観斜視図である。
【図２】同、防災用品保管庫の電気系統を示す図である。
【図３】同、防災システムの概念図である。
【発明を実施するための最良の形態】
【００１６】
以下、本発明の防災用品保管庫の実施の形態を、図１および図２に基づいて説明する。
図１は、防災用品保管庫１０の外観を示す斜視図で、図２は、電気系統図である。この防災用品保管庫１０は、建築パネルを組み合わせて直方体状の箱体を形成して、窓はなく、明かり取りのないドア１が正面中央部に配置されただけの簡素な外観としている。屋根には、パネル状の太陽電池１１が複数個設置され、外壁には換気口３と、エアコンディショナ５の室外機２が架台６に搭載されて設けられている。なお、４は、バックライト付きの表札である。防災用品保管庫１０の大きさは、ここでは、幅が２.３ｍ、長さが５.５ｍ、高さが２.７ｍの直方体状で、床面積は１２.５平方メートル、重量は約１.８トンとしている。
【００１７】
また、外壁面に風向風速、温度、湿度などの気象の観測を行う測定具をユニットにまとめた気象観測装置２０が屋根より上方へ突出させて設けられている。また、他面の外壁面にはネットワークカメラ２３が屋根より突出させて設けられている。
そして、室内は、壁、屋根、床に断熱材（６０ｍｍの発泡硬質ウレタンフォーム）が貼着され、図示してないがエアコンディショナ５と、灯具と、ＡＣ１００Ｖのコンセントと、携帯電話充電用コンセントが設けられている。
【００１８】
太陽電池１１は、単結晶シリコン電池を使用しており、これによって得られる電力は、１時間で最大１.９２ＫＷである。この電力は、図２の電気系統図に示すように、室内へ送られ、バッテリ１５に蓄電される。
バッテリ１５のＤＣ電力は、ドア１の横に配置した表札４と、気象観測装置２０（温度、湿度、雨量など）、および、ネットワークカメラ２３の作動に使用される。
そして、バッテリ１５からインバータ１４を介してＡＣ電源へ変換して、エアコンディショナ５とデータロガー２４に用いられるほか、室内灯と電気機器接続用のコンセントおよび携帯電話充電用コンセントにも使用される。
【００１９】
充電コントローラ１２は、太陽電池１１からの電流を複数のバッテリ１５へ均一に分配して充電するもので、バッテリ１５の過充電を防止する機能や、各バッテリ１５からインバータ１４への直流電流を安定供給する制御を行う機能、さらには、太陽電池１１への逆流を阻止する機能も備えている。
【００２０】
バッテリ１５は太陽電池１１からの電力を蓄積する。ここでは、メンテナンスフリーのシールドバッテリ（密閉型）を１２個使用しており、蓄電容量は約２４ＫＷｈである。なお、バッテリ１５は、バッテリ１５の蓄電容量が少なくなり緊急に充電を必要とする場合に、外部から充電できるように簡便に取り出せるように設置されている。
インバータ１４は、バッテリ１５からの直流電流を、交流電流に変換して出力するもので、家庭で使用されている電気機器も必要に応じて使用できる。
【００２１】
気象観測装置２０は、防災用品保管庫１０近傍の気象などを計測するための種々の計測器をセットにしたもので、ここでは、室内の温度、湿度と、外部の気象状況（気温、湿度、風向風力、気圧、降水量）を計測する測定具がユニットにして設けられている。
計測された気象データはデータロガー２４に蓄積される。
そして、この気象データは、モバイルルーター２５を介してインターネット上のホームページに掲載される。外部からは、パスワードを介してリアルタイムに閲覧できるほか、必要により過去の測定情報の表示もできるようにしている。
【００２２】
また、ネットワークカメラ２３は、周辺の状況を撮影するが、ここでは、暗視機能を備えたものを使用しており、夜間でも撮影できる。なお、映像データは、モバイルルーター２５を介してインターネット上のホームページに掲載されるとともに、管理ハウス３０のカメラレコーダ３２へ送信され保存される。
【００２３】
映像の閲覧（モニタリング）は、インターネットを介してパーソナルコンピュータや、モバイル端末（スマートホン、タブレット、小型ノートパソコンなど）でも表示できるようにしている。なお、カメラの首振り操作およびズーム機能は、インターネットを介して指令できるようにしている。
【００２４】
このように、構成された防災用品保管庫１０は、工場で組み立て、これに電源装置と、室内灯、エアコンディショナ５、ＡＣコンセントを装備し、トラックで、設置場所へ搬送し、敷台を配置した設置場所に、クレーン吊りで載置する。なお、電源装置のバッテリ１５は、予め太陽電池で充電されたものを使用する。これにより、エアコンディショナ５などを直ちに使用できるので、夜中に運び込むこともできる。また、設置場所を変えたい場合も簡便に移動できる。
【００２５】
次に、上記の防災用品保管庫１０を利用した防災システムについて図３に基づいて説明する。例えば、市町村など自治体において、上記の防災用品保管庫１０を複数個配置し、それぞれに、救援物資を保存する。
そして、役場またはこれの補助機関である防災対策本部（以下「管理ハウス」という）を設置する。
ここでは、管理ハウス３０は、役場の一室とし、データ集約サーバー３１とカメラレコーダ３２とパーソナルコンピュータ３３を備え、ルーター３４でインターネットへ接続して各防災用品保管庫１０のデータロガー２４に保存されている気象データを集約するとともに、周辺の映像を保存している。なお、この管理ハウス３０には非常用電源を備えている。
【００２６】
地方の市町村役場に非常用電源を備えることは、経済的に負担が大きく、また、これが非常時に確実に機能するように日頃から管理をすることは実際には難しい。
そこで、別の案として、管理ハウス３０を上記の防災用品保管庫１０の一つを用いて構築した例を示す。すなわち、この管理ハウス３０は、気象観測装置２０、ネットワークカメラ２３、データロガー２４、がなく、代わりにデータ集約サーバー３１とカメラレコーダ３２とパーソナルコンピュータ３３を備えている。
【００２７】
この管理ハウス３０の使い方は、常時は、防災用品保管庫１０と同じく断熱材を内装し、エアコンディショナ５を作動させて救援物資を保存し、人は常駐していない。そして、データ集約サーバー３１とカメラレコーダ３２へのアクセスは、役場に配置された災害対策本部からインターネットを介して行う。
そして、災害時は、管理ハウス３０の救援物資を出して災害対策本部として常駐して活動する。なお、防災用品保管庫１０が１個では、手狭でもう少しスペースを必要とする場合は、防災用品保管庫１０を２個用いて管理ハウスとしてもよい。
なお、管理ハウス３０へ組み替える予定の防災用品保管庫１０は、災害時に簡便に窓が付設できるようにしておくとよい。
【００２８】
なお、上記の実施の形態の説明では、発明の内容がよく解るように、防災用品保管庫１０について具体的な寸法や重量を示して説明したが、本発明は、この寸法に限定されるものでないことはいうまでもない。
【符号の説明】
【００２９】
１  ドア
２  室外機
３  換気口
４  バックライト付き銘板
５  エアコンディショナ
６  架台
７  断熱材
１０  防災用品保管庫
１１  太陽電池
１２  充電コントローラ
１４  インバータ
１５  バッテリ
２０  気象観測装置
２３  ネットワークカメラ
２４  データロガー
２５  モバイルルーター
３０  管理ハウス
３１  データ集約サーバー
３２  カメラレコーダ
３３  パーソナルコンピュータ
３４  ルーター
【図１】
2016035724.tif 000003
【図２】
2016035724.tif 000004
【図３】
2016035724.tif 000005